【事件の表示】
　上記当事者間の特許第３５０１４５２号発明「下枠上面がフラットの屋外用サッシ構造」の特許無効審判事件について、次のとおり審決する。
【結　論】
　特許第３５０１４５２号の請求項１〜５に係る発明についての特許を無効とする。
　審判費用は、被請求人の負担とする。
【理　由】
【１】手続の経緯
　平成１３年１１月２８日　　出願（特願２００２−５４６８４３号）　　　　　　　　　　　　　　　　（国内優先：平成１２年１２月　１日，
　　　　　　　　　　　　　　　　　　　　平成１３年　５月１０日）
　平成１５年１２月１２日　　設定登録（特許第３５０１４５２号）
　平成１６年１０月２０日　　無効審判請求
　平成１７年　１月　７日　　答弁書
　　　　　
　　　　　
【２】当事者の主張
〔１〕請求人の主張及び提出した証拠方法
　請求人は、「特許第３５０１４５２号の請求項１乃至５に係る特許発明について、本件特許は無効とすべきものとする。審判費用は被請求人の負担とする。との審決を求める。」という趣旨で無効審判を請求し、審判請求書において甲第１〜６号証を提示し、以下の無効理由を主張する。 
（ａ）本件特許の特許請求の範囲の請求項１〜５の記載において、構成の内容に矛盾する点があり、タイト材（シール手段）の位置を特定できず、特許を受けようとする発明が不明確であるから、特許法第３６条第６項第２号に規定する要件を満たしておらず、本件特許は、特許法第１２３条第１項第４号に該当し、無効とすべきものである。 
（ｂ）本件の請求項１乃至５に係る各特許発明は、甲第１号証乃至甲第６号証に記載された発明に基いて、出願前に当業者が容易に発明をすることができたものであるから、特許法第２９条第２項の規定により特許を受けることができないものであり、本件特許は、特許法第１２３条第１項第２号に該当し、無効とすべきである。 
　　　　　
　甲第１号証：登録実用新案第３０３５３４４号公報
　甲第２号証：実用新案登録第２５３４６２５号公報
　甲第３号証：特開平７−１７３９４５号公報
　甲第４号証：実公昭４９−１１３８０号公報
　甲第５号証：特開平１０−２２７１８４号公報
　甲第６号証：特公昭６２−３３３９３号公報
　　　　　　
　　　　　　
〔２〕被請求人の主張 
 　一方、被請求人は、「本件審判請求は成り立たない。審判費用は審判請求人の負担とする。」との審決を求め、平成１７年１月７日付け答弁書において、本件特許の特許請求の範囲の請求項１〜５の記載には、請求人主張のような矛盾する点はなく、また、甲各号証のものは、いずれも、本件各特許発明の技術的思想上の特徴を何ら開示していないばかりか、その示唆もないのであるから、これら甲各号証のものに基づいて本件各特許発明を容易に発明できたとすることはできない旨主張している。
　　　　 　 
　　　　　　
【３】本件特許発明
　本件請求項１〜５に係る発明は、特許明細書の特許請求の範囲の請求項１〜５に記載された事項により特定される、以下のとおりのものである。
　「【請求項１】屋内外を隔てる建物開口部出入口に装着される上下枠及び左右の縦枠からなるサッシと、その内側をスライド開閉する障子を有し、前記下枠は、上面がフラットに形成され前記下枠フラット面に条状の幅の狭い溝を障子スライド方向に設けて排水溝とし、前記障子の下框室内側側壁から垂下させたスライド片を前記排水溝に挿入し、前記排水溝に挿入されたスライド片と前記集水凹部の室内側側壁との間にタイト材を設け、障子に室外側から風圧を受ければ受ける程強く押圧されるシール手段とし、この排水溝の直下に排水溝幅より幅が広く、前記シール手段に雨水が溜まることが無いように雨水を受け入れるふところとなる集水凹部を備え、このスライド片の室外側と排水溝壁との間に所定の隙間を設けたことを特徴とする屋外用下枠フラットサッシ構造。
　【請求項２】屋内外を隔てる建物開口部出入口に装着される上下枠及び左右の縦枠からなるサッシと、その内側をスライド開閉する障子を有し、前記下枠は、上面がフラットに形成され前記下枠フラット面に条状の幅の狭い溝を障子スライド方向に設けて排水溝とし、前記障子の下框室内側側壁から垂下させたスライド片を前記排水溝に挿入し前記排水溝に挿入されたスライド片と前記集水凹部の室内側側壁との間にタイト材を設け、障子に室外側から風圧を受ければ受ける程強く押圧されるシール手段とし、この排水溝の直下に排水溝幅より幅が広く、前記シール手段に雨水が溜まることが無いように雨水を受け入れるふところとなる集水凹部を備え、このスライド片の室外側と排水溝壁との間に所定の隙間を設け、前記下枠には、前記集水凹部と、案内中空部とを備え、前記集水凹部に凹部排水口を設けて案内中空部と連通させ、前記案内中空部に屋外排水口を設けて屋外と連通させることで、前記集水凹部及び案内中空部を外気に連通させ、前記排水溝から集水凹部に流れ込んだ雨水が、凹部排水口から案内中空部に流れ込み、さらに屋外排水口から屋外に排水されることを特徴とする屋外用下枠フラットサッシ構造。
　【請求項３】屋内外を隔てる建物開口部の出入口に装着される上下枠及び左右の縦枠からなるサッシと、その内側をスライド開閉する引き違い戸を有し、前記下枠は、上面がフラットに形成され前記下枠フラット面に条状の幅の狭い溝を障子スライド方向に設けて排水溝とし、前記障子の下框室内側側壁から垂下させたスライド片を前記排水溝に挿入し前記排水溝に挿入されたスライド片と前記集水凹部の室内側側壁との間にタイト材を設け、障子に室外側から風圧を受ければ受ける程強く押圧されるシール手段とし、この排水溝の直下に排水溝幅より幅が広く、前記シール手段に雨水が溜まることが無いように雨水を受け入れるふところとなる集水凹部を備え、障子縦框と縦枠の間にシール手段を備え、障子召合部と下枠上面の間に室内と室外を仕切るシール手段を備え、内障子召合部下部に位置する内障子集水凹部に止水ブロックを備え、排水溝壁と前記スライド片の室外側に所定の隙間を備え、前記下枠には、前記集水凹部と、案内中空部とを備え、前記集水凹部に凹部排水口を設けて案内中空部と連通させ、前記案内中空部に屋外排水口を設けて屋外と連通させることで、前記集水凹部及び案内中空部を外気に連通させ、前記排水溝から集水凹部に流れ込んだ雨水が、凹部排水口から案内中空部に流れ込み、さらに屋外排水口から屋外に排水されることを特徴とする下枠上面フラットの屋外用サッシ構造。
　【請求項４】建屋開口部と障子収納部を形成した上枠と下枠の間に、スライド自在に装着した屋外用片引き戸を有し、前記下枠は、上面がフラットに形成され前記下枠フラット面に条状の幅の狭い溝を障子スライド方向に設けて排水溝とし、前記障子の下框室内側側壁から垂下させたスライド片を前記排水溝に挿入し前記排水溝に挿入されたスライド片と前記集水凹部の室内側側壁との間にタイト材を設け、障子に室外側から風圧を受ければ受ける程強く押圧されるシール手段とし、この排水溝の直下に排水溝幅より幅が広く、前記シール手段に雨水が溜まることが無いように雨水を受け入れるふところとなる集水凹部を備え、上枠と下枠の間に上下方向に配設した縦骨と障子召合框の間及び障子戸当框と縦枠の間にシール手段を備え、排水溝壁と前記スライド片の室外側に所定の隙間を備え、前記下枠には、前記集水凹部と、案内中空部とを備え、前記集水凹部に凹部排水口を設けて案内中空部と連通させ、前記案内中空部に屋外排水口を設けて屋外と連通させることで、前記集水凹部及び案内中空部を外気に連通させ、前記排水溝から集水凹部に流れ込んだ雨水が、凹部排水口から案内中空部に流れ込み、さらに屋外排水口から屋外に排水されることを特徴とする下枠上面フラットの屋外用サッシ構造。
　【請求項５】屋内外を隔てる建物開口部出入口に装着される上下枠及び左右の縦枠からなるサッシと、その内側をスライド開閉する障子を有し、下枠は、下枠ベース部材と上面部材とで上面がフラットで条状の幅の狭い溝を障子スライド方向に設けて排水溝とし、前記障子の下框室内側側壁から垂下させたスライド片を前記排水溝に挿入し前記排水溝に挿入されたスライド片と前記集水凹部の室内側側壁との間にタイト材を設け、障子に室外側から風圧を受ければ受ける程強く押圧されるシール手段とし、この排水溝の直下に排水溝幅より幅が広く、前記シール手段に雨水が溜まることが無いように雨水を受け入れるふところとなる集水凹部を備え、このスライド片の室外側と排水溝壁との間に所定の隙間を設けたことを特徴とする屋外用下枠フラットサッシ構造。」（以下、請求項１〜５に係る発明を、それぞれ、「本件特許発明１」等という。）
　　　　　　
　　　　　　
【４】無効理由についての検討 
〔１〕甲各号証の記載事項
（ａ）請求人が提出した甲第１号証（登録実用新案第３０３５３４４号公報）には、引き戸の支持案内構造に関して、以下の記載がある。
１．「【請求項１】引き戸建具の下枠の平坦な上面に直状の切り込み溝を設け、この切り込み溝内より雨水を流出させる排除孔を下枠の側面に設ける一方、引き戸下框の下端面に前記切り込み溝に内挿される突条を設け・・・たことを特徴とする引き戸の支持案内構造。【請求項２】引き戸建具の下枠の平坦な上面に直状の切り込み溝と、この切り込み溝に平行して配置されたレールとを設け、且つ下枠の肉厚部に切り込み溝に侵入した水を流出させるための排除孔を設ける一方、引き戸下框の下端面に前記切り込み溝に内挿される突条を設け・・・たことを特徴とする引き戸の支持案内構造。【請求項３】排除孔が横長で比較的大きく、下枠の一側方へ向かう通路断面を有するもので、切り込み溝の底部に沿った適当間隔位置毎に複数設けてあることを特徴とする請求項１又は２に記載の引き戸の支持案内構造。【請求項４】切り込み溝の縦壁面と突条の縦壁面との間を風雨密にシールするための細長状気密体を、これら縦壁面の何れか一方に付設したことを特徴とする請求項１、２又は３に記載の引き戸の支持案内構造。・・・」（実用新案登録請求の範囲）
２．「【考案の属する技術分野】本考案は、引き戸の支持案内構造に関する。」（段落【０００１】）
３．「【考案の実施の形態】図１は本考案に係る引き戸の支持案内構造を示す斜視図、図２は前記支持案内構造の一部縦断面図である。図に示すように、下枠１は上面１ａが平坦となされるのであって、具体的には、断面が四角状の木材を加工したものとなしてある。その各部を説明すると、９は下枠１の上面１ａに設けた直状の切り込み溝であり、従来の引き戸の溝に比べて深い断面を有している。この切り込み溝９近傍の前記上面１ａにはこれと平行してレール４が設けてある。・・・１０は下枠１の肉厚部に設けた排除孔で、具体的には下枠１の一側方ｆ１へ向かう横長の比較的大きな通路断面を有し且つ、切り込み溝９の底部に沿った適当間隔位置毎に複数設けられている。１１は切り込み溝９の縦壁面９ａに固定された細長状気密体で、前記縦壁面９ａと後述の突条１３の縦壁面１３ａとの間を風雨密にシールするためのものである。ここに、細長状気密体１１の主体部は弾性変形し易いシール性に優れたゴム質の一様断面体となしてある。・・・一方、１２は引き戸で、次のようなものとなしてある。即ち、下框５の下端面に、前記切り込み溝９に内挿される突条１３が設けてある。」（段落【００１９】〜【００２４】）
４．「次に、上記の如く構成した本考案に係る引き戸の支持案内構造の使用例並びにその作用を説明する。屋内ｃとテラス面ｄの間に設置するときは、下枠１の上面１ａは屋内ｃの床面ｂ及びテラス面ｄと同一高さとなすのがよいのであり、このさい、排除孔１０はテラス面ｄの下方を経て外界ａへ通じるものとなす。このようにすれば、下枠１の上面１ａ、屋内ｃの床面ｂ及びテラス面ｄの間に段差が生じず、下枠１は居住者などの移動を妨げるものとならず、・・・また玄関ドアのような土間の出入り口に設置したり、風呂場と脱衣場を仕切る間仕切などに設置することもできる。・・・」（段落【００２８】〜【００３２】）
５．「また、引き戸が閉鎖された状態の下で風雨に曝されると、雨水が切り込み溝９に侵入しようとするが、細長状気密体１４がこの侵入を抑制する。ところが風雨が強くなると、雨水が切り込み溝９に侵入することが生じ得る。このさい、侵入した雨水は排除孔１０を通じて直ちに外界ａへ流出し、切り込み溝９に滞留することはない。細長状気密体１１は風雨が切り込み溝９を通じて屋内ｃに侵入するのを抑制する。」（段落【００３４】，【００３５】）
６．そして、図１，２からみて、下枠１の上面１ａに設けた直状の切り込み溝９の上部が排水溝になりその下部である底部が細長状気密体１１に雨水が溜まることが無いように雨水を受け入れるふところとなる集水凹部となること、切り込み溝９上部の排水溝に内挿される突条１３が引き戸下框５の屋内ｃ側側壁から垂下させて設けられていること、細長状気密体１１が突条１３の屋内ｃ側に設けられていること、及び、切り込み溝９上部の壁と突条１３の外界ａ側に所定の隙間を備えていることは、当業者に明らかな事項である。
　これら１〜６の記載等及び図面の記載並びに当業者の技術常識によれば、甲第１号証には、以下の発明が記載されているものと認められる。
　「屋内ｃと外界ａとの間の出入口に装着される引き戸建具と、その内側をスライド開閉する引き戸１２を有し、前記下枠１は、上面１ａが平坦となされ前記下枠１の上面１ａに直状の切り込み溝９を障子スライド方向に設けてその上部を排水溝とし、前記障子の下框５屋内ｃ側側壁から垂下させた突条１３を前記切り込み溝９上部の排水溝に挿入し前記排水溝に挿入された突条１３と前記切り込み溝９の縦壁面９ａとの間に細長状気密体１１を設けてシール手段とし、この排水溝の直下に、前記シール手段に雨水が溜まることが無いように雨水を受け入れるふところとなる切り込み溝９底部である集水凹部を備え、排水溝壁と前記突条１３の外界ａ側に所定の隙間を備え、前記下枠１には、前記切り込み溝９底部の集水凹部を備え、前記集水凹部に排除孔１０を設けて外界ａと連通させることで、前記集水凹部を外気に連通させ、前記排水溝から集水凹部に流れ込んだ雨水が、排除孔１０から外界ａに排水される下枠１の上面１ａが平坦となされた引き戸建具構造。」（以下、「甲第１号証記載の発明」という。）
　　　　　　　　　
（ｂ）同じく、甲第２号証（実用新案登録第２５３４６２５号公報）には、引違い窓における排水装置に関して、以下の記載がある。
１．「（実施例）以下、図面によって本考案の実施例について説明する。第１図及び第２図はそれぞれ引違い窓の縦断面図及び横断面図である。上記引違い窓は左右の縦枠１ａ、１ｂと上下枠２、３とを方形に枠組みしてなる窓枠の内部に、室内側の内側障子４と室外側の外側障子５とを走行自在に収容したもので、上記内側障子４及び外側障子５の各下框６からはそれぞれ下方に突片７が突出形成され、該突片７を上記窓枠の下枠３に形成した溝条８内に挿入され、内側障子４及び外側障子５は突片７が溝条８に案内されて走行する。上記下枠３の溝条８は、上記突片７を案内させる突片案内部９と、該突片案内部９の下方に設けられた水溜り部１０とから構成され、上記溝条８の下方には中空部１１が形成されている。突片案内部９は下枠３の室内側及び室外側にそれぞれ対向形成された嵌合溝１２に嵌着された合成樹脂製気密材１３により幅狭に形成されている。これに対し、水溜り部１０は突片案内部９よりも幅広に形成されている。次に、内側障子４と外側障子５の溝条８には、上記水溜り部１０を上記内側障子４と外側障子５の召合せ部で左右に仕切る仕切部材１４が設けられている。」（４欄２６〜４８行）
２．「さらに、内側障子４の上記仕切部材１４をはさんで左右両側の溝条８の底部及び外側障子５の溝条８の底部の適宜位置に、それぞれ雨水を室外に排水するための適宜数の排水孔２０が形成されている。」（５欄８〜１１行）
３．「また、下枠３の中空部１１の底部には、上記各排水孔２０から排水された雨水を室外に排出させる排出口２６が形成されている。」（５欄２４〜２７行）
４．「前記構成において、上記内側障子４や外側障子５の表面を伝って落ちた雨水は、溝条８の水溜り部１０に流れていく。水溜り部１０は溝条８の突片案内部９よりも幅広に形成されているので、大きな排水孔２０を形成することができ、雨水は溢れ出ることがないとともに、排水は迅速で効率的に行なわれる。最後に、水溜り部１０内の雨水は各排水孔２０から中空部１１に導かれ、排出口２６から室外に排出される。ところで、溝条８内に雨水が浸入した場合、特に内側障子４の溝条８には召合せ部に仕切部材１４が設けられているので、閉鎖位置にある内側障子４の下部・・・の溝条８の水溜り部１０の雨水は、仕切り部材１４によって室内側に進入しにくい。このため、室内を清潔に保つことができる。」（５欄３７行〜６欄１１行）
５．そして、第１図からみて、下枠３の上面がフラットに形成されていることは、当業者に明らかな事項である。
　これら１〜５の記載等及び図面の記載並びに当業者の技術常識によれば、甲第２号証には、以下の技術事項（ア）〜（エ）が記載されているものと認められる。
（ア）「屋内外を隔てる建物開口部に装着される上下枠２、３及び左右の縦枠１ａ、１ｂからなる窓枠と、その内側をスライド開閉する内側障子４及び外側障子５を有する引違い窓。」
（イ）「下枠３は、上面がフラットに形成され下枠フラット面に突片案内部９を障子スライド方向に設けて排水溝とし、障子の下框６から垂下させた突片７を排水溝に挿入しこの排水溝の直下に排水溝幅より幅が広く、雨水を受け入れるふところとなる水溜り部１０を備えたこと。」
（ウ）「内障子召合せ部下部に位置する内側障子４の水溜り部１０に仕切部材１４を備えたこと。」
（エ）「下枠３には、水溜り部１０と、中空部１１とを備え、水溜り部１０に排水孔２０を設けて中空部１１と連通させ、中空部１１に排出口２６を設けて屋外と連通させることで、水溜り部１０及び中空部１１を外気に連通させ、排水溝から水溜り部１０に流れ込んだ雨水が、排水孔２０から中空部１１に流れ込み、さらに排出口２６から屋外に排水されること。」
 　　　　　　　　
（ｃ）同じく、甲第３号証（特開平７−１７３９４５号公報）には、引戸の下枠構造に関して、以下の記載がある。
１．「【請求項１】第１室および第２室の各床面はほぼ一平面に沿って延び、第１室および第２室間には、障子と、この障子を開閉自在に保持する枠体とが設けられ、この枠体の下枠が各床面間に配置される引戸の下枠構造であって、前記下枠は、下枠本体と、この下枠本体に着脱自在に連結される少なくとも１つの下枠補助部材とを有・・・することを特徴とする引戸の下枠構造。・・・【請求項３】前記障子は、前記一平面よりも下方に立下がる立下がり部を有することを特徴とする請求項１または２に記載の引戸の下枠構造。」（特許請求の範囲）
２．「【産業上の利用分野】本発明は、片引戸および引違い戸などの引戸の下枠構造に関する。」（段落【０００１】）
３．「さらに本発明に従えば、障子は、前記一平面よりも下方に立下がる立下がり部を有する。これによって、第１室から第２室に向けて飛散した水が下方に案内され、一平面よりも下方に導かれる。したがって前記第１室から飛散した水が第２室へ浸入することを防止することができる。」（段落【００１０】）
４．「【実施例】図１は、本発明の一実施例の連動引戸１の下枠３付近を拡大して示す鉛直断面図である。・・・前記下枠３は、中空で略Ｌ字状の下枠本体１５と、この下枠本体１５に着脱自在に連結される複数・・・の下枠補助部材１６ａ，１６ｂとを有する。下枠本体１５は、前記一平面よりも下方に設けられる基部１８と、基部１８の更衣室５寄りの一側部から上方に屈曲して連なり、最も更衣室５寄りに配置される障子７ｃを支持する最上面としての第１の支持面１９が前記一平面とほぼ同一平面を成して形成される立上がり部２０とを有する。各下枠補助部材１６ａ，１６ｂは、下枠本体１５の基部１８に浴室４側で連結される下フランジ２１ａ，２１ｂと、下フランジ２１ａ，２１ｂにほぼ直角に連なり水抜き孔２３ａ，２３ｂが形成されるウエブ２４ａ，２４ｂと、ウエブ２４ａ，２４ｂに直角に連なり前記３枚の障子７ａ，７ｂ，７ｃのうち最も更衣室５寄りに配置される障子７ｃを除く残余の障子７ａ，７ｂを支持する最上面である第２の支持面２５ａ，２５ｂが前記一平面とほぼ同一平面を成して形成される上フランジ２６ａ，２６ｂとを有し、大略的にＩ字状に形成される。」（段落【００１１】〜【００１５】）
５．「次に各障子７ａ〜７ｃの開閉動作を円滑に案内するための構成について説明する。各障子７ａ〜７ｃの各下部の浴室４側の内壁は、各下戸車８ａ，８ｂ，８ｃよりもさらに下方、すなわち前記一平面よりも下方に立下がる立下がり部としてのスカート部分３４ａ，３４ｂ，３４ｃを有し、・・・」（段落【００２０】）
６．「図２は連動引戸１の全体の構成を示す鉛直断面図であり、図３は連動引戸１の水平断面図であり、図４は連動引戸１を浴室４側から見た正面図である。前記枠体６は、上述の下枠３と、下枠３の長手方向両端部に直角に連結される一対の竪枠４５，４６と、各竪枠４５，４６の上端部に直角に連結される上枠４７とを有する。・・・」（段落【００２４】）
７．「本発明の他の実施例として、図６に示されるように、排水孔５０，５１，５２が形成される下方に開放した下枠３ａを、前記下枠３に代えて用いるようにしてもよい。これらの排水孔５０，５１，５２によって下枠内の水を防水パン９上に直接落下させて排水することができ、これによって排水性を格段に向上することができる。このような下枠３ａに関してもまた、本発明を好適に実施することができる。」（段落【００２６】）
８．「各第１下枠補助部材１１６ａ，１１６ｂは、下枠本体１１５の基部１１８に室外１０４側で連結され、第５排水孔１５０ａ，１５０ｂが形成される下フランジ１２１ａ，１２１ｂと、下フランジ１２１ａ，１２１ｂにほぼ直角に連なり水抜き孔１２３ａ，１２３ｂが形成されるウエブ１２４ａ，１２４ｂと、ウエブ１２４ａ，１２４ｂに直角に連なり前記３枚の障子７ａ，７ｂ，７ｃのうち最も室内１０５寄りに配置される障子７ｃを除く残余の障子７ａ，７ｂを支持する最上面である第２の支持面１２５ａ，１２５ｂが前記一平面とほぼ同一平面を成して形成される上フランジ１２６ａ，１２６ｂとを有し、大略的にＩ字状に形成される。・・・前記第５排水孔１５０ａ，１５０ｂは、第１または第２排水孔１１８ａ，１１８ｂと連通する。これによって、雨水などの水を下方に導き、排水溝１５６に排水することができる。前記第２下枠補助部材１５１は、室外１０４側へ延びる支持部１５７と、支持部１５７から垂直に立上がり、その上面１５８が前記一平面と同一平面上に形成される第２立上がり部１５９とを有し、大略的に逆Ｌ字状に形成される。前記第２立上がり部１５９には、第１下枠補助部材１１６ａ，１１６ｂと同様の水抜き孔１５０が形成され、たとえば雨水など室外１０４側から室内１０５側へ飛散した水を室外１０５へ導く。この第２下枠補助部材１５１は、第１下枠補助部材１１６ａ，１１６ｂの室外１０４側に設けられる。」（段落【００３１】，【００３２】）
９．「また上述の実施例では、連動引戸１によって浴室４と更衣室５とを仕切るようにしたけれども、本発明の他の実施例として、第１室から第２室へ向けて水が飛散するような環境、たとえばベランダと室内とを遮断するためにも本発明を有利に実施することができる。」（段落【００４１】）
　これら１〜９の記載及び図面の記載並びに当業者の技術常識によれば、甲第３号証には、以下の技術事項（ア）（イ）が記載されているものと認められる。
（ア）「屋内外（ベランダと室内）を隔てる建物開口部の出入口に装着される上下枠４７、３及び左右の竪枠４５、４６からなる枠体と、その内側をスライド開閉する片引戸或いは引違い戸を有する引戸。」
（イ）「下枠３は、下枠本体１５とこれに着脱自在に連結される複数の下枠補助部材１６ａ，１６ｂとで上面がフラットに形成され下枠フラット面に条状の幅の狭い溝を障子スライド方向に設けて排水溝とし、障子の下框側壁から垂下させたスカート部分３４ａ，３４ｂ，３４ｃを排水溝に挿入し、この排水溝の直下に排水溝幅より幅が広く雨水などを受け入れるふところとなる集水凹部を備えたこと。」
　　　　　　
（ｄ）同じく、甲第４号証（実公昭４９−１１３８０号公報）には、引違い障子窓における風雨侵入防止装置に関して、以下の記載がある。
１．「本考案は引違い障子窓における風雨侵入防止装置に関するものである。アルミニウムその他の金属製型材より成る窓枠を用いる引窓において、風雨が障子の下端部と窓下枠との間を通して室内に侵入することを防止するため、従来種々の防水装置が提案されている。」（１欄１７〜２２行）　　
２．「前記外側壁体２はその全長に亘つて下端縁が内側壁体１よりも下方向に長く、かつ戸車の下端面よりも下方に延長された延長端縁２ａを有する。また外側壁体２の内側面に長手方向に延在する気密材９が固着されている。」（２欄２５〜２９行）
３．「下壁１０の上側に上面が水平の上壁１２が一体に設けられている。この上壁１２は下枠の長手方向に延在する障子の数に対応する数の戸車走行面１２ａを有するとともに、各戸車走行面１２ａの外側に下枠の全長に亘つて互に平行に延長する溝１３が形成されている。・・・前記下框の外側壁体の延長端縁２ａをこの溝１３に嵌入して障子を支持、摺動させることができるようにされている。」（２欄３５行〜３欄６行）
４．「こうして、溝１３内に侵入した風雨は水抜孔１５より下枠Ｂの空白部１７内を経て排水孔１６から排水されるものである。」（３欄１２〜１５行）
５．「本考案による風雨侵入防止装置を備えた障子窓においては、障子下框の外側壁体の延長端縁を下枠の溝内に摺動自在に嵌入して障子を建付けるから、無風状態の際は気密材のみで、下框と下枠との間が密閉されて湿気は完全に遮断されるとともに、強い風雨の際には下框の延長端縁が溝に嵌入しているから・・・軌条を用いない戸車を使用するから下框の延長端縁が風圧で溝側面に押圧されるので、ますます気密性が高められ溝内に侵入した雨水は排水孔から排出されるので、室内に風雨が侵入することが防止される。」（３欄２０行〜４欄９行）
　これら１〜５の記載及び図面の記載並びに当業者の技術常識によれば、甲第４号証には、以下の技術事項（ア）（イ）が記載されているものと認められる。
（ア）「下枠Ｂにおける上面が水平の上壁１２に溝１３を障子スライド方向に設けて排水溝として、この排水溝に障子の下框から垂下させた延長端縁２ａを挿入し、延長端縁２ａと溝１３の室内側側壁との間に気密材９を設けて、強い風雨の際には下框の延長端縁が風圧で溝側面に押圧されてますます気密性が高められる建物開口部に装着される引違い障子窓。」
（イ）「下枠Ｂにおける溝１３の底部に水抜孔１５を設けて空白部１７と連通させ、空白部１７に排水孔１６を設けて屋外と連通させることで、溝１３の底部及び空白部１７を外気に連通させ、排水溝から溝１３の底部に流れ込んだ雨水が、水抜孔１５から空白部１７に流れ込み、さらに排水孔１６から屋外に排水されること。」
　　　　　　
（ｅ）同じく、甲第５号証（特開平１０−２２７１８４号公報）には、浴室引き戸の防水構造に関して、以下の記載がある。
１．「これら図１、図２において浴室引き戸は、建屋の浴室Ａと脱衣室Ｂとの間に設けた開口部に上下枠１０、１１と左右の縦枠１２、１３とを枠組してなる枠体を納め、この枠体内に複数の障子１６Ａ、１６Ｂ、１６Ｃを重合状かつ摺動自在に納めて構成されている。・・・まず障子１６Ａ、１６Ｂ、１６Ｃ相互の連動について説明しておく。本実施形態においては浴室Ａ側の障子１６Ａ及び中央の障子１６Ｂが摺動側、脱衣室Ｂ側の障子１６Ｃが固定側とされている。図１に示すように、障子１６Ａには取手２２、押圧体３０及び係合片３１、障子１６Ｂには、係合片３２、３３、障子１６Ｃには、係合片３４がそれぞれ設けられている。ここで、各係合片３１〜３４は各障子１６Ａ、１６Ｂ、１６Ｃの縦框の略全長に沿って形成された長手部材である。図１の状態において、障子１６Ａをその取手２２を介して縦枠１３側に摺動させると、押圧体３０を介して障子１６Ｂも縦枠１３側に摺動し、引き戸とが開口状態となる。また開口状態から障子１６Ａをその取手２２を介して縦枠１２側に摺動させると、係合片３１、３２が相互に係合して、障子１６Ｂも縦枠１２側に摺動し、引き戸とが閉状態となる。・・・なお係合片３１、３２の間、及び係合片３３、３４の間には、それぞれ弾性材からなる緩衝部材３５が設けられており、係合時の音の発生及び浴室Ａ側からの水の浸入が防止される。・・・」（段落【００１５】〜【００１８】）
２．「ここで障子１６Ａ、１６Ｂには、該障子１６Ａ、１６Ｂを全閉状態とした場合の隣接する障子１６Ａ、１６Ｂ、１６Ｃと重合する位置（図１におけるＰ１及びＰ２）には、図２〜図４に示すように、各障子１６Ａ、１６Ｂと下枠１１との隙間を略塞ぐ防水部材２０が設けられている。すなわち、まず障子１６Ａの下框３０の長手方向両端部（縦框の下方位置）のうち、障子１６Ｂ側の端部には、開口部３０ａが形成されている。また障子１６Ｂの下框３０の長手方向両端部には、開口部３０ａが形成されている。そしてこれら開口部３０ａ、３０ａに、防水部材２０が固定されている。・・・この防水部材２０は図４に示すように、取付部２１と防水部２３とから形成されるもので、取付部２１は、下框３０の開口部３０ａに挿入可能であり、かつ挿入された状態で下框３０に脱落不能に係止するように、折返し部２１ａを有して形成されている。・・・」（段落【００１９】〜【００２１】）
３．「また防水部材２０の形状は、上記実施形態に示したものに限らず、例えば取付部２１を設けずに、防水部２３のみを下框の底面に接着若しくはビス止めしてもよい。・・・また突起部２３ａの方向も障子１６Ａ等の摺動方向に直交せず、平行等させてもよいが、直交させた場合には、湯水の流入方向に対して直交し、最も効率よく湯水を排除することができる。なお防水部材２０の材質は、ゴム、プラスチック等の弾性材料を用いることが望ましく上記実施形態では硬度５０のエラストマを用いているが、下枠１１との接触が無ければ金属を用いてもよい。」（段落【００２５】）
４．そして、引き戸は、枠体内に納めた複数の障子１６Ａ、１６Ｂ、１６Ｃのうち、障子１６Ａ及び中央の障子１６Ｂが摺動側、障子１６Ｃが固定側とされて、片引き戸形式となっており、その際、固定側の障子１６Ｃが納められている枠体部分が、障子収納部となっていることは、当業者に明らかな事項である。
　これら１〜４の記載等及び図面の記載並びに当業者の技術常識によれば、甲第５号証には、以下の技術事項（ア）〜（エ）が記載されているものと認められる。
（ア）「建物開口部の出入口に装着される上下枠１０、１１及び左右の縦枠１２、１３からなる枠体と、その内側をスライド開閉する複数の障子１６Ａ〜１６Ｃを有する引き戸。」
（イ）「障子１６Ａ、１６Ｂを全閉状態とした場合の隣接する障子１６Ａ、１６Ｂ、１６Ｃと重合する位置（図１におけるＰ１及びＰ２）と下枠１１上面の間に、防水部材２０を備えたこと。」
（ウ）「建屋開口部と障子収納部を形成した上枠１０と下枠１１の間に、障子１６Ａ、１６Ｂ、１６Ｃをスライド自在に備えた建物開口部に装着される引き戸。」
（エ）「摺動側障子１６Ｂの召合框の係合片３３と固定側障子１６Ｃの召合框の係合片３４との間に、弾性材からなる緩衝部材３５を設け、係合時の水の浸入を防止すること。」
　　　　　
（ｆ）同じく、甲第６号証（特公昭６２−３３３９３号公報）には、気密型引戸装置に関して、以下の記載がある。
１．「産業上の利用分野　この発明は気密型引戸装置の改良に関するもので、学校、病院、厚生施設等における出入口に使用して有効なものである。」（１欄２６行〜２欄１行）
２．「第１図〜第３図は下戸車方式でかつ片引き或いは引分けのものに実施した第１実施例を示すもので、開口枠１の下枠２にはその上面の室内側部分を所定量高くして実質的に平坦な・・・室内側踏面３が構成され、また中間部には適当な高さ寸法ｎの段部４が形成されている。この段部４には嵌着溝５が全長に亘つて形成され、この嵌着溝５の閉鎖側の約半分にゴム等の弾性部材から成る気密部材７が嵌着されている。なおこの気密部材７は竪枠８の気密部材９と方立１０の気密部材１１とに第３図に示すように連続されている。」（４欄３〜１４行）
３．「また引戸６の下框１４には室内側框板１４ａに前記気密部材９の圧接面９ａと圧着可能な圧着部２３が一体に形成され、この圧着部２３が下枠２の段部４と案内レール１６間の凹溝２ａ内に嵌め込まれている。なお、この圧着部２３は竪框２４と召合せ框２５に設けられている圧着部２６，２７に第３図のように連続されている。」（５欄１６〜２２行）
４．「上記引戸６は閉鎖側へ移動させて閉鎖状態にすると・・・引寄装置によつて室内側へ引寄せられて圧着部２３，２６，２７等が気密部材７，９，１１等に圧着保持されるようになつている。」（５欄２９〜３７行）
５．「また、引戸６を閉鎖した状態では引戸６が引寄装置によつて室内側へ引寄せられて引戸６の圧着部２３等が開口枠１の気密部材７等に全周に亘つて強く圧着し、これにより引戸６は出入口を気密状態に閉ざして・・・出入口からの風雨の浸入を防止することができる。」（７欄２〜８行）
６．「第６図は本願の第３実施例を示すもので、引違い・・・のものに実施したものである。」（７欄１９〜２１行）
７．そして、片引き或いは引分け戸形式の実施例を示す第３図を参照すると、開口枠１における嵌め殺し窓のある部分が、引戸６のための障子収納部となっていることは、当業者に明らかな事項である。
　これら１〜７の記載等及び図面の記載並びに当業者の技術常識によれば、甲第６号証には、以下の技術事項（ア）（イ）が記載されているものと認められる。
（ア）「開口枠１に上下方向に配設した方立１０と引戸６の召合せ框２５との間、及び、引戸６の竪框２４と開口枠１の竪枠８との間に、それぞれ、気密部材１１，９を備えたこと。」
（イ）「建屋開口部と障子収納部を形成した開口枠１に、引戸６をスライド自在に備えた屋内外を隔てる建物開口部の出入口に装着される引戸装置。」
　　　　　
　　　　　
〔２〕本件各特許発明と甲各号証記載の発明との対比・判断
（ａ）本件特許発明１について
１．本件特許発明１と甲第１号証記載の発明との対比
　本件特許発明１と甲第１号証記載の発明とを対比すると、甲第１号証記載の発明の「屋内ｃ」，「外界ａ」，「屋内ｃと外界ａとの間の出入口」，「引き戸建具」，「下枠１」，「上面１ａが平坦となされ」，「下枠１の上面１ａ」，「直状の切り込み溝９」，「下框５」，「突条１３」，「縦壁面９ａ」，「細長状気密体１１」，「下枠１の上面１ａが平坦となされた引き戸建具構造」が、本件特許発明１の「屋内」或いは「室内」，「屋外」或いは「室外」，「屋内外を隔てる建物開口部出入口」，「サッシ」，「下枠」，「上面がフラットに形成され」，「下枠フラット面」，「条状の幅の狭い溝（排水溝）」或いは「集水凹部」，「下框」，「スライド片」，「室内側側壁」，「タイト材」，「屋外用下枠フラットサッシ構造」にそれぞれ相当し、また、建物開口部に装着されるサッシが、通常、上下枠及び左右の縦枠から枠状に形成されるものである（例．甲第２，３，５号証（技術事項（ア）参照。）から、両者は、
　「屋内外を隔てる建物開口部出入口に装着される上下枠及び左右の縦枠からなるサッシと、その内側をスライド開閉する障子を有し、下枠は、上面がフラットに形成され下枠フラット面に条状の幅の狭い溝を障子スライド方向に設けて排水溝とし、前記障子の下框室内側側壁から垂下させたスライド片を前記排水溝に挿入し、前記排水溝に挿入されたスライド片と前記集水凹部の室内側側壁との間にタイト材を設けてシール手段とし、この排水溝の直下に、前記シール手段に雨水が溜まることが無いように雨水を受け入れるふところとなる集水凹部を備え、このスライド片の室外側と排水溝壁との間に所定の隙間を設けた屋外用下枠フラットサッシ構造。」の点で一致し、以下の点で相違する。
＜相違点１＞
　下枠の排水溝の直下に備えた集水凹部の構成について、本件特許発明１が、「排水溝幅より幅が広」い集水凹部であるのに対し、甲第１号証記載の発明では、集水凹部が上部を排水溝とした一定幅の切り込み溝の底部として形成されたもので、そのような構成を有していない点。
＜相違点２＞
　下枠の排水溝に設けたシール手段の構成について、本件特許発明１が、「障子に室外側から風圧を受ければ受ける程強く押圧されるシール手段」であるのに対し、甲第１号証記載の発明では、シール手段がどのような構成を有するのか不明である点。
２．各相違点についての検討
＜相違点１について＞
　相違点１について検討するために甲第２号証をみると、甲第２号証には、下枠３（下枠）は、上面がフラットに形成され下枠フラット面に突片案内部９（条状の幅の狭い溝）を障子スライド方向に設けて排水溝とし、障子の下框６（下框）から垂下させた突片７（スライド片）を排水溝に挿入しこの排水溝の直下に排水溝幅より幅が広く、雨水を受け入れるふところとなる水溜り部１０（集水凹部）を備えたこと（技術事項（イ）参照。）が記載され、また、このような集水凹部は、甲第３号証に、下枠３（下枠）は、・・・上面がフラットに形成され下枠フラット面に条状の幅の狭い溝を障子スライド方向に設けて排水溝とし、障子の下框側壁から垂下させたスカート部分３４ａ，３４ｂ，３４ｃ（スライド片）を排水溝に挿入し、この排水溝の直下に排水溝幅より幅が広く雨水などを受け入れるふところとなる集水凹部を備えたこと（技術事項（イ）参照。）が記載され、その他、実願平１−１２９８１２号（実開平３−６８２８５号）のマイクロフィルム（以下、「周知例１」という。）にも記載されているように従来から周知のものである。そして、このような技術を甲第１号証記載の発明に適用することについては何ら阻害要因を認めることができず、且つ、当該技術に基づき相違点１として摘記した本件特許発明１の構成を想起する点に格別の困難性は認められないから、本件特許発明１の上記相違点１に係る構成は当業者が必要に応じて適宜採用し得る設計的事項にすぎない。
＜相違点２について＞
　甲第１号証には、「１１は切り込み溝９の縦壁面９ａに固定された細長状気密体で、前記縦壁面９ａと後述の突条１３の縦壁面１３ａとの間を風雨密にシールするためのものである。ここに、細長状気密体１１の主体部は弾性変形し易いシール性に優れたゴム質の一様断面体となしてある。」（記載事項３．参照。）との記載、及び、「ところが風雨が強くなると、雨水が切り込み溝９に侵入することが生じ得る。・・・細長状気密体１１は風雨が切り込み溝９を通じて屋内ｃに侵入するのを抑制する。」（記載事項５．参照。）との記載があり、一方、本件特許公報には、「障子に室外側から風圧を受ければ受ける程強く押圧するシール構造として障子の室内側とサッシ枠の間に弾性材からなるタイト材を介在させた」との記載があり、これらの記載によれば、甲第１号証記載の発明の「細長状気密体１１」も、本件特許発明１の「タイト材」と同様に弾性材からなるものであり、しかも、「突条１３」の「屋内ｃ」側に設けられて、「風雨密にシールする」との作用効果を奏するものであるから、「障子に室外側から風圧を受ければ受ける程強く押圧される」という機能を有するものと推測でき、したがって、本件特許発明１の上記相違点２に係る構成の点において、本件特許発明１が甲第１号証記載の発明に比して格別のものとはいえない。
　或いは、甲第４号証には、下枠Ｂ（下枠）における上面が水平（上面がフラットに形成され）の上壁１２（下枠フラット面）に溝１３（条状の幅の狭い溝）を障子スライド方向に設けて排水溝として、この排水溝に障子の下框から垂下させた延長端縁２ａ（スライド片）を挿入し、延長端縁２ａと溝１３（集水凹部）の室内側側壁との間に気密材９（タイト材）を設けて、強い風雨の際には下框の延長端縁が風圧で溝側面に押圧されてますます気密性が高められる建物開口部に装着される引違い障子窓（屋外用サッシ）（技術事項（ア）参照。）が記載されており、このような技術を甲第１号証記載の発明に適用することについては何ら阻害要因を認めることができず、且つ、当該技術に基づき相違点２として摘記した本件特許発明１の構成を想起する点に格別の困難性は認められないから、本件特許発明１の上記相違点２に係る構成は当業者が必要に応じて適宜採用し得る設計的事項にすぎない。
３．作用効果についての検討
　そして、本件特許発明１の構成によってもたらされる効果も、甲第１，２号証記載の発明及び周知技術から、普通に予測できる範囲内のものであって、格別なものがあるとは認められないから、本件特許発明１は、甲第１，２号証記載の発明及び周知技術に基づき当業者が容易に発明をすることができたものと云わざるを得ない。
　　　　　　
（ｂ）本件特許発明２について
１．本件特許発明２と甲第１号証記載の発明との対比
　本件特許発明２は、本件特許発明１の構成に、「前記下枠には、前記集水凹部と、案内中空部とを備え、前記集水凹部に凹部排水口を設けて案内中空部と連通させ、前記案内中空部に屋外排水口を設けて屋外と連通させることで、前記集水凹部及び案内中空部を外気に連通させ、前記排水溝から集水凹部に流れ込んだ雨水が、凹部排水口から案内中空部に流れ込み、さらに屋外排水口から屋外に排水される」との構成を付加したものである。ところで、甲第１号証記載の発明には、上記付加した構成に対応して、「前記下枠１には、前記切り込み溝９底部の集水凹部を備え、前記集水凹部に排除孔１０を設けて外界ａと連通させることで、前記集水凹部を外気に連通させ、前記排水溝から集水凹部に流れ込んだ雨水が、排除孔１０から外界ａに排水される」との構成を備えており、この構成における「排除孔１０」が、本件特許発明２の「屋外排水口」に相当しているから、本件特許発明２と甲第１号証記載の発明とは、上記一致点及び相違点１，２に加えて、さらに以下の点で相違する。
＜相違点３＞
　下枠の集水凹部の屋外排水のための構成について、本件特許発明２が、「集水凹部に凹部排水口を設けて案内中空部と連通させ、案内中空部に屋外排水口を設けて屋外と連通させることで、集水凹部及び案内中空部を外気に連通させ、排水溝から集水凹部に流れ込んだ雨水が、凹部排水口から案内中空部に流れ込み、さらに屋外排水口から屋外に排水される」ようにしたのに対して、甲第１号証記載の発明では、集水凹部に屋外排水口を直接設けて屋外と連通させることで、集水凹部を外気に連通させたものであって、案内中空部を備えず、したがって、集水凹部に凹部排水口を設けて案内中空部と連通させていない点。
２．各相違点についての検討
　相違点１，２については、上記（ａ）２．で検討したとおりであるから、以下、相違点３についてのみ検討する。
＜相違点３について＞
　相違点３について検討するために甲第２号証をみると、甲第２号証には、下枠３（下枠）には、水溜り部１０（集水凹部）と、中空部１１（案内中空部）とを備え、水溜り部１０に排水孔２０（凹部排水口）を設けて中空部１１と連通させ、中空部１１に排出口２６（屋外排水口）を設けて屋外と連通させることで、水溜り部１０及び中空部１１を外気に連通させ、排水溝から水溜り部１０に流れ込んだ雨水が、排水孔２０から中空部１１に流れ込み、さらに排出口２６から屋外に排水されること（技術事項（エ）参照。）が記載され、また、このような屋外排水構造は、甲第４号証に、下枠Ｂ（下枠）における溝１３の底部（集水凹部）に水抜孔１５（凹部排水口）を設けて空白部１７（案内中空部）と連通させ、空白部１７に排水孔１６（屋外排水口）を設けて屋外と連通させることで、溝１３の底部及び空白部１７を外気に連通させ、排水溝から溝１３の底部に流れ込んだ雨水が、水抜孔１５から空白部１７に流れ込み、さらに排水孔１６から屋外に排水されること（技術事項（イ）参照。）が記載され、その他、上記周知例１にも記載されているように従来から周知のものである。そして、このような技術を甲第１号証記載の発明に適用することについては何ら阻害要因を認めることができず、且つ、当該技術に基づき相違点３として摘記した本件特許発明２の構成を想起する点に格別の困難性は認められないから、本件特許発明２の上記相違点３に係る構成は当業者が必要に応じて適宜採用し得る設計的事項にすぎない。
３．作用効果についての検討
　そして、本件特許発明２の構成によってもたらされる効果も、甲第１，２号証記載の発明及び周知技術から、普通に予測できる範囲内のものであって、格別なものがあるとは認められないから、本件特許発明２は、甲第１，２号証記載の発明及び周知技術に基づき当業者が容易に発明をすることができたものと云わざるを得ない。
　　　　　
（ｃ）本件特許発明３について
１．本件特許発明３と甲第１号証記載の発明との対比　
　本件特許発明３は、本件特許発明２の構成のうちの「障子」を「引き違い戸」に変更し、また、本件特許発明２の構成に、「障子縦框と縦枠の間にシール手段を備え、障子召合部と下枠上面の間に室内と室外を仕切るシール手段を備え、内障子召合部下部に位置する内障子集水凹部に止水ブロックを備え」との構成を付加したものであるから、本件特許発明３と甲第１号証記載の発明とは、上記一致点及び相違点１〜３に加えて、さらに以下の点で相違する。
＜相違点４＞
　サッシの内側をスライド開閉する障子の構成について、本件特許発明３が、「引き違い戸」であるのに対し、甲第１号証記載の発明では、引き戸である点。
＜相違点５＞
　サッシにおける下枠の排水溝のシール手段以外のシール手段等の構成について、本件特許発明３が、「障子縦框と縦枠の間にシール手段を備え、障子召合部と下枠上面の間に室内と室外を仕切るシール手段を備え、内障子召合部下部に位置する内障子集水凹部に止水ブロックを備え」るのに対して、甲第１号証記載の発明では、そのような構成を有していない点。
２．各相違点についての検討
　相違点１〜３については、上記（ｂ）２．で検討したとおりであるから、以下、相違点４，５についてのみ検討する。
＜相違点４について＞
　相違点４について検討するために甲第２号証をみると、甲第２号証には、窓枠（サッシ）の内側をスライド開閉する内側障子４及び外側障子５（引き違い戸）を有する引違い窓（屋外用サッシ）（技術事項（ア）参照。）が記載され、また、このような引き違い戸は、甲第３号証に、枠体（サッシ）の内側をスライド開閉する片引戸或いは引違い戸（引き違い戸）を有する引戸（屋外用サッシ）（技術事項（ア）参照。）が記載され、甲第４号証に、建物開口部に装着される引違い障子（引き違い戸）窓（技術事項（ア）参照。）が記載され、その他、上記周知例１にも記載されているように従来から周知のものである。そして、このような技術を甲第１号証記載の発明に適用することについては何ら阻害要因を認めることができず、且つ、当該技術に基づき相違点４として摘記した本件特許発明３の構成を想起する点に格別の困難性は認められないから、本件特許発明３の上記相違点４に係る構成は当業者が必要に応じて適宜採用し得る設計的事項にすぎない。
＜相違点５について＞
　相違点５について検討するために甲第２号証をみると、甲第２号証には、内障子召合せ部下部に位置する内側障子４（内障子）の水溜り部１０（集水凹部）に仕切部材１４（止水ブロック）を備えたこと（技術事項（ウ）参照。）が記載され、また、障子召合部と下枠上面の間に室内と室外を仕切るシール手段を備えることは、例えば、甲第５号証に、障子１６Ａ、１６Ｂを全閉状態とした場合の隣接する障子１６Ａ、１６Ｂ、１６Ｃと重合する位置（図１におけるＰ１及びＰ２）（障子召合部）と下枠１１（下枠）上面の間に防水部材２０（シール手段）を備えたこと（技術事項（イ）参照。）が記載され、その他、特開２０００−３４８６９号公報（以下、「周知例２」という。），実願昭６０−１０６７４２号（実開昭６２−１６６９４号）のマイクロフィルム（以下、「周知例３」という。），実公平４−２３１９０号公報にも記載されているように従来から周知のものであり、さらに、障子縦框と縦枠の間にシール手段を備えることは、例えば、甲第６号証に、引戸６の竪框２４（障子戸当框）と開口枠１の竪枠８（縦枠）との間に、気密部材９（シール手段）を備えたこと（技術事項（ア）参照。）が記載され、その他、上記周知例２，３にも記載されているように従来から周知のものである。そして、このような技術を甲第１号証記載の発明に適用することについては何ら阻害要因を認めることができず、且つ、当該技術に基づき相違点５として摘記した本件特許発明３の構成を想起する点に格別の困難性は認められないから、本件特許発明３の上記相違点５に係る構成は当業者が必要に応じて適宜採用し得る設計的事項にすぎない。
３．作用効果についての検討
　そして、本件特許発明３の構成によってもたらされる効果も、甲第１，２号証記載の発明及び周知技術から、普通に予測できる範囲内のものであって、格別なものがあるとは認められないから、本件特許発明３は、甲第１，２号証記載の発明及び周知技術に基づき当業者が容易に発明をすることができたものと云わざるを得ない。　
　　　　　
（ｄ）本件特許発明４について
１．本件特許発明４と甲第１号証記載の発明との対比
　本件特許発明４は、本件特許発明３の構成のうちの「屋内外を隔てる建物開口部の出入口に装着される上下枠及び左右の縦枠からなるサッシと、その内側をスライド開閉する引き違い戸」を「建屋開口部と障子収納部を形成した上枠と下枠の間に、スライド自在に装着した屋外用片引き戸」に変更し、これに伴い、「障子召合部と下枠上面の間に室内と室外を仕切るシール手段を備え、内障子召合部下部に位置する内障子集水凹部に止水ブロックを備え」を「上枠と下枠の間に上下方向に配設した縦骨と障子召合框の間にシール手段を備え」に変更したものであるから、本件特許発明４と甲第１号証記載の発明とは、上記一致点及び相違点１〜３，５に加えて、さらに以下の点で相違する。
＜相違点６＞
　サッシの構成について、本件特許発明４が、「建屋開口部と障子収納部を形成した上枠と下枠の間に、スライド自在に装着した屋外用片引き戸を有し」、「上枠と下枠の間に上下方向に配設した縦骨と障子召合框の間にシール手段を備え」るのに対し、甲第１号証記載の発明では、引き戸ではあるが、障子収納部等及びシール手段の構成については不明である点。
２．各相違点についての検討
　相違点１〜３，５については、上記（ｃ）２．で検討したとおりであるから、以下、相違点６についてのみ検討する。
＜相違点６について＞
　相違点６について検討するために甲第６号証をみると、甲第６号証には、開口枠１に上下方向に配設した方立１０（縦骨）と引戸６の召合せ框２５（障子召合框）との間、及び、引戸６の竪框２４（障子戸当框）と開口枠１の竪枠８（縦枠）との間に、それぞれ、気密部材１１，９（シール手段）を備えたこと（技術事項（ア）参照。）、及び、建屋開口部と障子収納部を形成した開口枠１に、引戸６（片引き戸）をスライド自在に備えた屋内外を隔てる建物開口部の出入口に装着される引戸装置（技術事項（イ）参照。）が記載され、また、このような障子収納部を形成した片引き戸タイプであって適宜位置にシール手段を備えたサッシは、例えば、甲第５号証にも、建屋開口部と障子収納部を形成した上枠１０（上枠）と下枠１１（下枠）の間に、障子１６Ａ、１６Ｂ、１６Ｃ（片引き戸）をスライド自在に備えた建物開口部に装着される引き戸（技術事項（ウ）参照。）、及び、摺動側障子１６Ｂの召合框の係合片３３と固定側障子１６Ｃの召合框（縦骨）の係合片３４との間に、弾性材からなる緩衝部材３５を設け、係合時の水の浸入を防止すること（技術事項（エ）参照。）が記載されているように従来から周知のものである。そして、このような技術を甲第１号証記載の発明に適用することについては何ら阻害要因を認めることができず、且つ、当該技術に基づき相違点６として摘記した本件特許発明４の構成を想起する点に格別の困難性は認められないから、本件特許発明４の上記相違点６に係る構成は当業者が必要に応じて適宜採用し得る設計的事項にすぎない。
３．作用効果についての検討
　そして、本件特許発明４の構成によってもたらされる効果も、甲第１，２，６号証記載の発明及び周知技術から、普通に予測できる範囲内のものであって、格別なものがあるとは認められないから、本件特許発明４は、甲第１，２，６号証記載の発明及び周知技術に基づき当業者が容易に発明をすることができたものと云わざるを得ない。
　　　　　　
（ｅ）本件特許発明５について
１．本件特許発明５と甲第１号証記載の発明との対比
　本件特許発明５は、本件特許発明１の構成のうちの「下枠」を「下枠ベース部材と上面部材とで」形成される旨限定したものであるから、本件特許発明５と甲第１号証記載の発明とは、上記一致点及び相違点１，２に加えて、さらに以下の点で相違する。
＜相違点７＞
　下枠の構成について、本件特許発明５が、「下枠ベース部材と上面部材とで」形成されるのに対し、甲第１号証記載の発明では、そのようなものではない点。
２．各相違点についての検討
　相違点１，２については、上記（ａ）２．で検討したとおりであるから、以下、相違点７についてのみ検討する。
＜相違点７について＞
　相違点７について検討するために甲第３号証をみると、甲第３号証には、下枠３（下枠）は、下枠本体１５（下枠ベース部材）とこれに着脱自在に連結される複数の下枠補助部材１６ａ，１６ｂ（上面部材）とで上面がフラットに形成され下枠フラット面に条状の幅の狭い溝を障子スライド方向に設けて排水溝としたこと（技術事項（イ）参照。）が記載され、また、このような下枠構造は、例えば、上記周知例１にも記載されているように従来から周知のものである。そして、このような技術を甲第１号証記載の発明に適用することについては何ら阻害要因を認めることができず、且つ、当該技術に基づき相違点７として摘記した本件特許発明５の構成を想起する点に格別の困難性は認められないから、本件特許発明５の上記相違点７に係る構成は当業者が必要に応じて適宜採用し得る設計的事項にすぎない。
３．作用効果についての検討
　そして、本件特許発明５の構成によってもたらされる効果も、甲第１〜３号証記載の発明及び周知技術から、普通に予測できる範囲内のものであって、格別なものがあるとは認められないから、本件特許発明５は、甲第１〜３号証記載の発明及び周知技術に基づき当業者が容易に発明をすることができたものと云わざるを得ない。
　　　　　　　　　　　
　　　　　　　　　　　
【５】むすび
　以上のように、本件特許発明１〜３は甲第１，２号証記載の発明及び周知技術に基づき、また、本件特許発明４は甲第１，２，６号証記載の発明及び周知技術に基づき、さらに、本件特許発明５は甲第１〜３号証記載の発明及び周知技術に基づき、何れも、当業者が容易に発明できたものであるということができ、本件特許発明１〜５についての特許は、特許法第２９条第２項の規定に違反してなされたものであるから、特許法第１２３条第１項第２号により無効とすべきである。
　　　　　　　　
　審判に関する費用については、特許法第１６９条第２項の規定により準用する民事訴訟法第６１条の規定を適用して、被請求人が負担すべきものとする。
　よって、結論のとおり審決する。